(57)【要約】    【課題】  振動の発生を抑えたスターリング冷凍機を備えた冷蔵庫を提供すること。    【解決手段】  ケーシング４ａ、４ｂと、ケーシング４ａ、４ｂに設けられたシリンダ５ａ、５ｂと、シリンダ５ａ、５ｂ内で往復運動して作動媒体を移動するディスプレーサ７ａ、７ｂと、ディスプレーサ７ａ、７ｂをシリンダ５ａ、５ｂ内で往復運動させる駆動装置８ａ、８ｂと、ケーシング４ａ、４ｂに設けられた圧縮ピストン９ａ、９ｂと、を有するスターリング冷凍機２ａ、２ｂを備えた冷蔵庫１であって、２台のスターリング冷凍機２ａ、２ｂは一体に連結し、稼働時に、連結された２台のスターリング冷凍機２ａ、２ｂに作用する力のモーメントが最小となるモーメント中心１０で、２台のスターリング冷凍機２ａ、２ｂは、支柱１２により支持される。【選択図】  図１
2009036493.tif 000002
【特許請求の範囲】
【請求項１】
ケーシングと、前記ケーシングに設けられたシリンダと、前記シリンダ内で往復運動して作動媒体を移動するディスプレーサと、前記ディスプレーサを前記シリンダ内で往復運動させる駆動手段と、前記ケーシングに設けられた圧縮ピストンと、を有するスターリング冷凍機を２台備え、前記２台のスターリング冷凍機は一体に連結され、前記２台のスターリング冷凍機は、稼働時に、一体に連結した前記２台のスターリング冷凍機に作用する力のモーメントが最小となる位置で支持部材により支持される、ことを特徴とする冷蔵庫。
【請求項２】
前記支持部材により支持される位置は、一体に連結した前記２台のスターリング冷凍機のモーメントの中心線上である、ことを特徴とする請求項１に記載の冷蔵庫。
【請求項３】
前記２台のスターリング冷凍機の前記ディスプレーサは、平行に配置され、且つ、前記シリンダ内を逆位相で往復運動する、ことを特徴とする請求項１又は請求項２に記載の備えた冷蔵庫。
【請求項４】
前記２台のスターリング冷凍機の前記ディスプレーサは、同軸に配置され、且つ、前記シリンダ内を対向して往復運動する、ことを特徴とする請求項１又は請求項２に記載の冷蔵庫。
【発明の詳細な説明】
【技術分野】
【０００１】
本発明はスターリング冷凍機を備えた冷蔵庫に関する。
【背景技術】
【０００２】
従来の冷蔵庫においては、冷蔵庫本体を構成する第一の天面部と、冷蔵庫外箱背面側の第一の天面部より低い位置に設けた第二の天面部と、第二の天面部の上方に配設された圧縮機と、圧縮機を搭載するためのベースを備え、第二の天面部の上方にベースを配設し、ベースは第二の天面部に備えられた弾性体によって下方より弾性支持する。圧縮機の重心を通る第二の天面部に弾性体を取り付けてベースに固定することで圧縮機を下部で支えた場合と比較して振動の伝播を抑制する（例えば、特許文献１参照。）。
【特許文献１】特開２００５−３５１５３９号公報
【発明の開示】
【発明が解決しようとする課題】
【０００３】
しかしながら、従来の冷蔵庫は圧縮機の重心を通る面で支持するが、スターリング冷凍機を用いた場合、ディスプレーサがシリンダ内を往復運動するため力のモーメントが発生し、圧縮機の重心を通る面で支持しても力のモーメントが作用すると冷蔵庫に伝播して、振動する問題がある。
【０００４】
本発明は上記問題点に鑑みてなされたものであり、力のモーメントが発生しても振動の伝播を抑えたスターリング冷凍機を備えた冷蔵庫を提供することを目的とする。
【課題を解決するための手段】
【０００５】
上記課題を解決するため、請求項１に記載の発明は、ケーシングと、前記ケーシングに設けられたシリンダと、前記シリンダ内で往復運動して作動媒体を移動するディスプレーサと、前記ディスプレーサを前記シリンダ内で往復運動させるバネ機構と、前記ケーシングに設けられた圧縮ピストンと、を有するスターリング冷凍機を備えた冷蔵庫であって、２台の前記スターリング冷凍機は一体に連結され、前記２台のスターリング冷凍機は、稼動時、一体に連結した前記２台のスターリング冷凍機に作用する力のモーメントが最小となる位置で支持部材により支持される。
【０００６】
また、請求項２に記載の発明は、前記支持部材により支持される位置は、一体に連結した２台の前記スターリング冷凍機の、稼動時のモーメントの中心である。
【０００７】
また、請求項３に記載の発明は、２台の前記スターリング冷凍機の夫々の前記ディスプレーサは、平行に配置され、且つ、前記シリンダ内を逆位相で往復運動する。
【０００８】
また、請求項４に記載の発明は、２台の前記スターリング冷凍機の夫々の前記ディスプレーサは、同軸に配置され、且つ、前記シリンダ内を対向して往復運動する。
【発明の効果】
【０００９】
請求項１に記載の発明では、一体に連結した２台のスターリング冷凍機を、力のモーメントが最小となる位置にて、支持部材を介して、支持することで、稼働時に発生する振動を冷蔵庫を構成する底面部に伝わりにくくして、冷蔵庫の振動を低減する。
【００１０】
また、請求項２に記載の発明では、一体に連結した２台のスターリング冷凍機の力のモーメントが最小となる連結部（特に請求項５で特定される稼動時のモーメントの中心）を支持部材で支持することで、稼働時に発生する振動を冷蔵庫を構成する底面部に伝わりにくくして、冷蔵庫の振動を低減する。
【００１１】
また、請求項３に記載の発明では、２台のスターリング冷凍機の夫々のディスプレーサは、平行に配置され、且つ、前記シリンダ内を逆位相で往復運動するため、ディスプレーサが往復運動することにより荷重はお互いに打ち消し合い、スターリング冷凍機の稼働に伴う振動を低減する。
【００１２】
また、請求項４に記載の発明では、２台のスターリング冷凍機の夫々のディスプレーサは、同軸に配置され、且つ、前記シリンダ内を対向して往復運動するため、ディスプレーサが往復運動することによる同軸上に発生する荷重はお互いに打ち消し合う。ディスプレーサは同軸上に配置されるため、力のモーメントの発生をより抑え、振動を低減する。
【発明を実施するための最良の形態】
【００１３】
以下に本発明の実施形態を図面を参照しつつ詳細に説明する
（第１実施例）
図１は、本発明の第１実施例で、冷蔵庫１の下段の内部に設けたスターリング冷凍機２ａ、２ｂを模式的に示した図で、図２はスターリング冷凍機２ａ、２ｂを上面から模式的に示した図である。
【００１４】
冷蔵庫１は、下部に一体に連結した２台のスターリング冷凍機２ａ、２ｂと、上部に冷蔵室３から構成される。
【００１５】
スターリング冷凍機２ａは、ケーシング４ａと、ケーシング４ａに設けられたシリンダ５ａと、シリンダ５ａ内で往復運動してヘリウム６ａ（作動媒体）を移動するディスプレーサ７ａと、ディスプレーサ７ａをシリンダ５ａ内で上下方向に往復運動させるばね機構８ａ（駆動手段）と、ケーシング４ａに設けられた対向して動く２つの圧縮ピストン９ａから成る。同様にスターリング冷凍機２ｂは、ケーシング４ｂと、ケーシング４ｂに設けられたシリンダ５ｂと、シリンダ５ｂ内で往復運動してヘリウム６ｂ（作動媒体）を移動するディスプレーサ７ｂと、ディスプレーサ７ｂをシリンダ５ｂ内で上下方向に往復運動させるバネ機構８ｂ（駆動手段）と、ケーシング４ｂに設けられた対向して動く２つの圧縮ピストン９ｂから成る。
【００１６】
一体に連結した２台のスターリング冷凍機２ａ、２ｂは、スターリング冷凍機２ａ、２ｂの中心部分の連結部１０で冷蔵庫１の底面部１１に固定された支柱１２（支持部材）により支持される。スターリング冷凍機２ａ、２ｂの夫々のディスプレーサ７ａ、７ｂは、平行に配置され、且つ、シリンダ５ａ、５ｂ内を逆位相で往復運動する。
【００１７】
質量の大きなディスプレーサ７ａ、７ｂが往復運動すると、上下方向に力のモーメントが発生するが、力のモーメントが最小となる連結部（モーメントの中心線上が好ましい）を支柱１２で支持するため、スターリング冷凍機２ａ、２ｂの稼働時に発生する振動を底面部１１に伝わりにくくして、冷蔵庫１の振動を低減する。
【００１８】
また、２台のスターリング冷凍機２ａ、２ｂの夫々のディスプレーサ７ａ、７ｂは、シリンダ５ａ、５ｂ内を逆位相で往復運動するため、上下方向の荷重をお互いに打ち消し合い、スターリング冷凍機２ａ、２ｂの稼働に伴う振動を低減する。
【００１９】
（第２実施例）
図３は本発明の第２実施例で、スターリング冷凍機２２ａ、２２ｂを上面から模式的に示した図である。第１実施例とは、スターリング冷凍機２２ａ、２２ｂの取り付け方向が異なる以外は同じであり、共通する部分については説明を省略する。
【００２０】
スターリング冷凍機２２ａは、ケーシング２４ａと、ケーシング２４ａに設けられたシリンダ２５ａと、シリンダ２５ａ内で往復運動してヘリウム２６ａ（作動媒体）を移動するディスプレーサ２７ａと、ディスプレーサ２７ａをシリンダ２５ａ内で水平方向に往復運動させるバネ機構２８ａ（駆動手段）と、ケーシング２４ａに設けられた１つの圧縮ピストン２９ａから成る。同様にスターリング冷凍機２２ｂは、ケーシング２４ｂと、ケーシング２４ｂに設けられたシリンダ２５ｂと、シリンダ２５ｂ内で往復運動してヘリウム２６ｂ（作動媒体）を移動するディスプレーサ２７ｂと、ディスプレーサ２７ｂをシリンダ２５ｂ内で水平方向に往復運動させるバネ機構２８ｂ（駆動手段）と、ケーシング２４ｂに設けられた１つの圧縮ピストン２９ｂから成る。圧縮ピストン２９ａ、２９ｂはお互いに対向して動く。
【００２１】
スターリング冷凍機２２ａ、２２ｂの夫々のディスプレーサ２７ａ、２７ｂは、水平で同軸に配置され、且つ、シリンダ２５ａ、２５ｂ内を対向して往復運動する。
【００２２】
質量の大きなディスプレーサ２７ａ、２７ｂが往復運動すると、水平方向に力のモーメントが発生するが、力のモーメントが最小となる連結部を支柱３２で支持するため、スターリング冷凍機２２ａ、２２ｂの稼働時に発生する振動を底面部１１に伝わりにくくして、冷蔵庫１の振動を低減する。
【００２３】
また、ディスプレーサ２７ａ、２７ｂは、同軸に配置され、且つ、シリンダ２５ａ、２５ｂ内を対向して往復運動するため、ディスプレーサ２７ａ、２７ｂが往復運動することによる同軸上に発生する荷重はお互いに打ち消し合う。また、ディスプレーサ２７ａ、２７ｂは同軸上に配置されるため、力のモーメントの発生をより低く抑えることができる。
【００２４】
（第３実施例）
図４は本発明の第３実施例で、スターリング冷凍機３２を横面から模式的に示した図である。
【００２５】
スターリング冷凍機３２は、ケーシング３４と、ケーシング３４の設けられたシリンダ３５ａ、３５ｂと、シリンダ３５ａ、３５ｂ内で往復運動して作動媒体たるヘリウムを移動するディスプレーサ３７ａ、３７ｂと、ディスプレーサ３７ａ、３７ｂをシリンダ３５ａ、３５ｂ内で上下方向に往復動させるバネ装置３８と、ケーシング３４内に設けられた一対の圧縮ピストン３９ａ、３９ｂからある。圧縮ピストン３９ａ、３９ｂは、相互に対向して動き、その間に圧縮空間を形成する。
【００２６】
この圧縮空間にある圧縮ガスにより、同位相で駆動されるディスプレーサ３７ａ、３７ｂは、同軸上に配置され且つシリンダ３５ａ、３５ｂ内を対向して往復運動する。このため、ディスプレーサ３７ａ、３７ｂが往復動することによる同軸上に発生する荷重は、お互いに打ち消し合う。また、ディスプレーサ３７ａ、３７ｂは同軸上に配置されるため、力のモーメントの発生を低く抑えることができる。
【図面の簡単な説明】
【００２７】
【図１】本発明の第１実施例で、冷蔵庫の下段の内部に設けたスターリング冷凍機を模式的に示した図である。
【図２】本発明の第１実施例で、スターリング冷凍機を上面から模式的に示した図である。
【図３】本発明の第２実施例で、スターリング冷凍機を上面から模式的に示した図である。
【図４】本発明の第３実施例で、スターリング冷凍機を上面から模式的に示した図である。
【符号の説明】
【００２８】
１  冷蔵庫
２ａ、２ｂ  スターリング冷凍機（第１実施例）
３  冷蔵室
４ａ、４ｂ  ケーシング
５ａ、５ｂ  シリンダ
６ａ、６ｂ  ヘリウム（作動媒体）
７ａ、７ｂ  ディスプレーサ
８ａ、８ｂ  駆動装置（駆動手段）
９ａ、９ｂ  圧縮ピストン
１０  連結部
１２  支柱（支持部材）
２２ａ、２２ｂ  スターリング冷凍機（第２実施例）
２４ａ、２４ｂ  ケーシング
２５ａ、２５ｂ  シリンダ
２６ａ、２６ｂ  ヘリウム（作動媒体）
２７ａ、２７ｂ  ディスプレーサ
２８ａ、２８ｂ  駆動装置（駆動手段）
２９ａ、２９ｂ  圧縮ピストン
３０  連結部
３２  スターリング冷凍機
【図１】
2009036493.tif 000003
【図２】
2009036493.tif 000004
【図３】
2009036493.tif 000005
【図４】
2009036493.tif 000006